(57)【要約】【課題】コストが掛からず、施工が容易で工期短縮を図ることができ、運搬時にもかさばらない二重構造からなる鋼製下地材を提供する。【解決手段】鋼製下地材１は、Ｃ形断面からなる薄板軽量形鋼であり、内装ボードが貼られる前面部１ａおよび当該前面部１ａと対向する後面部１ｆと、前面部１ａおよび後面部１ｆと直交する側面部１ｂ、１ｄから構成され、側面部１ｂ、１ｄには、それぞれ鋼製下地材１の内方に折り返した折返し部１ｃ、１ｅが形成されている。鋼製下地材１の前面部１ａの内側には、帯板状の中間部２ａと、逆Ｖ字状の断面を有し、長手方向に延在する両側縁部２ｂ、２ｂとからなるインナー部材２が長手方向に配設されており、インナー部材２の両側縁部２ｂ、２ｂは、下端部が鋼製下地材１の折返し部１ｃ、１ｅに支持され、上端部は鋼製下地材１の前面部１ａに当接している。【選択図】図１
2007315064.tif 000002
【特許請求の範囲】
【請求項１】
内装ボードが貼られる前面部と、当該前面部と直交する側面部とを備え、内方に折り返した折返し部が前記側面部に形成されたＣ形断面もしくは箱形断面からなる鋼製下地材の内部に、インナー部材が配設されてなる鋼製下地材の補強構造であって、
前記インナー部材は、帯板状の中間部と、逆Ｖ字状の断面を有し、長手方向に延在する両側縁部とからなり、
前記インナー部材の両側縁部が、それぞれ前記鋼製下地材の折返し部に支持され、前記鋼製下地材の前面部と前記インナー部材の中間部との間に所定の間隙が設けられていることを特徴とする鋼製下地材の補強構造。
【請求項２】
内装ボードが貼られる前面部と、当該前面部と直交する側面部とを備えるＣ形断面もしくは箱形断面からなる鋼製下地材の内部に、インナー部材が配設されてなる鋼製下地材の補強構造であって、
前記インナー部材は、帯板状の中間部と、逆Ｖ字状の断面を有し、長手方向に延在する両側縁部とからなり、
前記インナー部材の両側縁部および／または中間部が、前記鋼製下地材内に配設されたインナー支持部材に支持され、前記鋼製下地材の前面部と前記インナー部材の中間部との間に所定の間隙が設けられていることを特徴とする鋼製下地材の補強構造。
【請求項３】
内装ボードが貼られる前面部と、当該前面部と直交する側面部とを備えるＣ形断面もしくは箱形断面からなる鋼製下地材の内部に配設されるインナー部材であって、
帯板状の中間部と、逆Ｖ字状の断面を有し、長手方向に延在する両側縁部とからなることを特徴とするインナー部材。
【請求項４】
内装ボードが貼られる前面部と、当該前面部と直交する側面部とを備えるＣ形断面もしくは箱形断面からなる鋼製下地材内に配設され、請求項３に記載のインナー部材を支持するインナー支持部材であって、
前記インナー部材の両側縁部をそれぞれ支持する、対向配置された一対の側板部と、前記一対の側板部を連結する連結部とからなることを特徴とするインナー支持部材。
【請求項５】
前記インナー部材の中間部を支持する突出部が前記連結部に設けられていることを特徴とする請求項４に記載のインナー支持部材。
【発明の詳細な説明】
【技術分野】
【０００１】
本発明は、間仕切壁や天井などの仕上げ面を構成する内装ボードが貼られる鋼製下地材の補強構造に関する。
【背景技術】
【０００２】
未膨張のバーミキュライト（ヒル石）をケイ酸カルシウム等の基材に配合して成形した内装ボードは、調湿（吸放湿）性、消臭効果、美観に優れており、従来の内装ボード工事におけるクロス貼りを必要とせず、素材自体の無垢の素地を活かした仕上げ材である（例えば、特許文献１参照）。
木軸下地の場合は、上記内装ボードを木軸下地に仕上げ釘で留め付けて仕上げ面とする。この際、仕上げ釘による留め付け部分は、上記内装ボードが持つ自然なテクスチャと溶け込むので補修の必要がない。
一方、軽量鉄骨下地の場合は、軽量形鋼の板厚が薄いため、仕上げ釘で上記内装ボードを留め付けることができず、ビスを使用する。また施工に際しては、ビス頭が目立たないように、ボード面より沈むようにビス頭をねじ込んだ後、ビス頭の部分をパテ処理する。
【特許文献１】特開２００２−１５４８６４号公報
【発明の開示】
【発明が解決しようとする課題】
【０００３】
上述したように、軽量鉄骨下地の場合には、内装ボードを軽量形鋼に留め付けるためビスを使用しているが、ビス頭が目立たないようにビス頭の部分をパテ処理する必要があり、施工に手間が掛かるだけでなく、上記内装ボードが持つ自然なテクスチャにビスが溶け込まず、美観が損なわれるという問題がある。
【０００４】
一方、軽量形鋼の内部に新たに板面を形成して二重構造とすれば、内装ボードを軽量形鋼に仕上げ釘で留め付けることが可能となる。軽量形鋼は肉厚が薄く、押出し成型が不可能であるため、ストリップ鋼板を冷間で連続ロール成型して製作されており、軽量形鋼の内部に新たに板面を形成して二重構造とするためには、鋼板を曲げ加工して、例えば図９に示すような二重構造の軽量形鋼を製造する。
しかし、鋼板を曲げ加工して二重構造の軽量形鋼を製造する方法は、加工に手間が掛かるうえ、材料もかさむため、コストアップは避けられない。
【０００５】
本発明は、上述する問題点に鑑みてなされたもので、コストが掛からず、施工が容易で工期短縮を図ることができ、運搬時にもかさばらない二重構造からなる鋼製下地材を提供することを目的とする。
【課題を解決するための手段】
【０００６】
上記目的を達成するため、本発明は、内装ボードが貼られる前面部と、当該前面部と直交する側面部とを備え、内方に折り返した折返し部が前記側面部に形成されたＣ形断面もしくは箱形断面からなる鋼製下地材の内部に、インナー部材が配設されてなる鋼製下地材の補強構造であって、前記インナー部材は、帯板状の中間部と、逆Ｖ字状の断面を有し、長手方向に延在する両側縁部とからなり、前記インナー部材の両側縁部が、それぞれ前記鋼製下地材の折返し部に支持され、前記鋼製下地材の前面部と前記インナー部材の中間部との間に所定の間隙が設けられていることを特徴としている。
【０００７】
本発明では、鋼製下地材の内部に、長尺のインナー部材を配設して二重構造としているので、内装ボードを留め付ける仕上げ釘は、鋼製下地材の前面部とインナー部材の中間部を貫通する。このため、仕上げ釘に引抜力が作用すると、鋼製下地材の前面部およびインナー部材の中間部が引抜力に対して抵抗し、仕上げ釘が鋼製下地材および内装ボードから抜けにくくなる。従って、内装ボードをビス留めする必要がなく、ビス頭部分のパテ処理が不要となり、内装ボードが持つ美観が損なわれることがない。
特に本発明では、インナー部材が別部材とされているので、従来から使用されている鋼製下地材を使用することができ、材料費も少なくて済むため、コストを低く抑えることができる。また、鋼製下地材内にインナー部材を嵌挿するだけでよいので、施工が容易で工期短縮を図ることができる。
【０００８】
また、本発明は、内装ボードが貼られる前面部と、当該前面部と直交する側面部とを備えるＣ形断面もしくは箱形断面からなる鋼製下地材の内部に、インナー部材が配設されてなる鋼製下地材の補強構造であって、前記インナー部材は、帯板状の中間部と、逆Ｖ字状の断面を有し、長手方向に延在する両側縁部とからなり、前記インナー部材の両側縁部および／または中間部が、前記鋼製下地材内に配設されたインナー支持部材に支持され、前記鋼製下地材の前面部と前記インナー部材の中間部との間に所定の間隙が設けられていることを特徴としている。
【０００９】
本発明では、鋼製下地材の側面部に折返し部が形成されていない場合を対象とする。鋼製下地材内に配設されたインナー支持部材でインナー部材を支持するものであり、本発明もインナー部材を使用することにより、先の発明と同様の作用効果を奏する。
【００１０】
また、本発明は、内装ボードが貼られる前面部と、当該前面部と直交する側面部とを備えるＣ形断面もしくは箱形断面からなる鋼製下地材の内部に配設されるインナー部材であって、帯板状の中間部と、逆Ｖ字状の断面を有し、長手方向に延在する両側縁部とからなることを特徴としている。
【００１１】
本発明では、インナー部材が、帯板状の中間部と、逆Ｖ字状の断面を有し、長手方向に延在する両側縁部とから形成されているので、帯状の鋼板を折り曲げて容易に加工することができ、コストを低く抑えることができる。また、積層することができるので運搬時にかさばることがない。
【００１２】
また、本発明は、内装ボードが貼られる前面部と、当該前面部と直交する側面部とを備えるＣ形断面もしくは箱形断面からなる鋼製下地材内に配設され、請求項３に記載のインナー部材を支持するインナー支持部材であって、前記インナー部材の両側縁部をそれぞれ支持する、対向配置された一対の側板部と、前記一対の側板部を連結する連結部とからなることを特徴としている。
さらに、本発明では、前記インナー部材の中間部を支持する突出部が前記連結部に設けられていてもよい。
【００１３】
本発明では、インナー支持部材が、対向配置された一対の側板部と、一対の側板部を連結する連結部とから構成されており、予め切削加工した鋼板を現場で折り曲げるだけでインナー支持部材を作ることができる。このため、運搬時にかさばることがない。
また、インナー支持部材の連結部に突出部を設けることにより、突出部が板ばねのようにインナー部材の中間部を外方に押圧するので、インナー部材の側縁部とインナー支持部材の側板部との間に遊びがある場合でも、インナー部材を支持することができる。
【発明の効果】
【００１４】
本発明では、鋼製下地材の内部に、長尺のインナー部材を配設して二重構造としているため、内装ボードを留め付ける仕上げ釘に引抜力が作用した際に、鋼製下地材の前面部およびインナー部材の中間部が引抜力に対して抵抗し、仕上げ釘が鋼製下地材および内装ボードから抜けにくくなる。また、インナー部材が別部材とされているので、従来から使用されている鋼製下地材を使用することができ、材料費も少なくて済むため、コストを低く抑えることができる。さらに、鋼製下地材内にインナー部材を嵌挿するだけでよいので、施工が容易で工期短縮を図ることができる。
加えて、インナー部材およびインナー支持部材は、それぞれ積層できるので、運搬時にかさばることがない。
【発明を実施するための最良の形態】
【００１５】
以下、本発明の実施形態について図面に基づいて説明する。
図１および図２は、本発明に係る鋼製下地材の補強構造の第一の実施形態を示したものである。
鋼製下地材１は、Ｃ形断面からなる薄板軽量形鋼であり、内装ボードが貼られる前面部１ａ（フランジ）および当該前面部１ａと対向する後面部１ｆ（フランジ）と、前面部１ａおよび後面部１ｆと直交する側面部１ｂ（ウェブ）および側面部１ｄ（折曲げ部）から構成され、側面部１ｂの上下端部および側面部１ｄには、それぞれ鋼製下地材１の内方に折り返した折返し部１ｃ、１ｅが形成されている。
【００１６】
内装ボードが貼られる、鋼製下地材１の前面部１ａの内側には、帯板状の中間部２ａと、逆Ｖ字状の断面を有し、長手方向に延在する両側縁部２ｂ、２ｂとからなるインナー部材２が長手方向に配設されている。インナー部材２の両側縁部２ｂ、２ｂは、下端部が鋼製下地材１の折返し部１ｃ、１ｅに支持され、上端部は鋼製下地材１の前面部１ａに当接し、鋼製下地材１の前面部１ａとインナー部材２の中間部２ａとの間には所定の間隙Ｃが設けられている。
【００１７】
上記鋼製下地材１の補強構造に、内装ボード４を仕上げ釘５で留め付けた状態を図３に示す。仕上げ釘５は、鋼製下地材１の前面部１ａとインナー部材２の中間部２ａを貫通し、仕上げ釘５に引抜力が作用すると、鋼製下地材１の前面部１ａおよびインナー部材２の中間部２ａが引抜力に対して抵抗する。これにより、仕上げ釘５が鋼製下地材１および内装ボード４から抜けにくくなる。その結果、内装ボード４をビス留めする必要がなくなり、内装ボード４が持つ自然なテクスチャを損なうことがない。
【００１８】
鋼製下地材１にインナー部材２をセットする場合は、鋼製下地材１の一方の端部から、前面部１ａと折返し部１ｃ、１ｅの間にインナー部材２を挿入してもよいし、あるいは、鋼製下地材１の側方開口部からインナー部材２を挿入し、前面部１ａと折返し部１ｅの間にインナー部材２の一方の側縁部２ｂを嵌挿した後、前面部１ａと折返し部１ｃの間にインナー部材２の他方の側縁部２ｂを押し込んでセットしてもよい。
【００１９】
なお、インナー部材２は、帯状の鋼板を折り曲げて容易に加工できるので、コストを低く抑えることができる。また、積層することができるので運搬時にかさばることがない。
【００２０】
次に、本発明に係る鋼製下地材の補強構造の他の実施形態について説明する。
図４および図５は、本発明に係る鋼製下地材の補強構造の第二の実施形態を示したものである。
本実施形態の鋼製下地材１１は、箱形断面からなる薄板軽量形鋼であり、内装ボードが貼られる、対向する前面部１１ａ、１１ａと、当該前面部１１ａと直交する、対向する側面部１１ｂ、１１ｂから構成され、側面部１１ｂ、１１ｂには折返し部が形成されていない。このため、インナー支持部材１３を用いてインナー部材１２を支持する。
【００２１】
インナー支持部材１３は平断面視コ字状とされ、インナー部材１２の両側縁部１２ｂ、１２ｂをそれぞれ支持する、対向配置された一対の側板部１３ａ、１３ａと、一対の側板部１３ａ、１３ａを連結する平板状の連結部１３ｂとから概略構成されている。また、連結部１３ｂの上下端辺には、それぞれ当該端辺を基点として傾斜する傾斜板からなる突出部１３ｃが設けられている。
【００２２】
インナー部材１２は、鋼製下地材１１の対向する前面部１１ａ、１１ａの内側に、それぞれ対称に配設され、その間にインナー支持部材１３が所定の間隔をおいて配置される。インナー支持部材１３の側板部１３ａの上下端部が、それぞれ対向するインナー部材１２の側縁部１２ｂのＶ字溝に挿入され、インナー部材１２を支持する。
【００２３】
なお、インナー支持部材１３の連結部１３ｂの上下端辺にそれぞれ突出部１３ｃを設けているので、各突出部１３ｃの先端が、板ばねのようにインナー部材１２の中間部１２ａを外方に押圧する。このため、インナー部材１２の側縁部１２ｂとインナー支持部材１３の側板部１３ａとの間に遊びがある場合でも、インナー部材１２を支持することができる。
【００２４】
図６に、インナー支持部材１３の展開図を示す。インナー支持部材１３は一枚板から構成されており、予め鋼板を図６のように切削加工しておけば、ミシン目状のスリット１３ｄに沿って、切削加工された鋼板を現場で折り曲げるだけでインナー支持部材１３を作ることができる。また、運搬時にかさばることもない。
【００２５】
対向するインナー部材１２、１２間にインナー支持部材１３を配置する場合は、棒など長い部材を用いてインナー支持部材１３をインナー部材１２、１２間に押し込めばよい。この際、インナー支持部材１３に側板部１３ａが設けられているので、鋼製下地材１１内でインナー支持部材１３が倒れることはない。
【００２６】
図７は、本発明に係る鋼製下地材の補強構造の第三の実施形態を示したものである。
鋼製下地材２１は、Ｃ形断面からなる薄板軽量形鋼であり、内装ボードが貼られる前面部２１ａ（ウェブ）と、当該前面部２１ａと直交する側面部２１ｂ、２１ｂ（折曲げ部）から構成されている。また、側面部２１ｂ、２１ｂには、それぞれ鋼製下地材２１の内方に折り返した折返し部２１ｃ、２１ｃが形成されている。
【００２７】
鋼製下地材２１の前面部２１ａの内側には、長尺のインナー部材２２が長手方向に配設されており、インナー部材２２の両側縁部２２ｂ、２２ｂは、下端部が鋼製下地材２１の折返し部２１ｃ、２１ｃに支持され、上端部は鋼製下地材２１の前面部２１ａに当接している。
【００２８】
図８は、本発明に係る鋼製下地材の補強構造の第四の実施形態を示したものである。
鋼製下地材３１は、箱形断面からなる薄板軽量形鋼であり、内装ボードが貼られる前面部３１ａおよび当該前面部３１ａと対向する後面部３１ｆと、前面部３１ａおよび後面部３１ｆと直交する、対向する側面部３１ｂ、３１ｂから構成されている。また、側面部３１ｂ、３１ｂの上下端部には、それぞれ鋼製下地材３１の内方に折り返した折返し部３１ｃ、３１ｃが形成されている。
【００２９】
内装ボードが貼られる、鋼製下地材３１の前面部３１ａの内側には、長尺のインナー部材３２が長手方向に配設されており、インナー部材３２の両側縁部３２ｂ、３２ｂは、下端部が鋼製下地材３１の折返し部３１ｃ、３１ｃに支持され、上端部は鋼製下地材３１の前面部３１ａに当接している。
【００３０】
本発明では、鋼製下地材１、１１、２１、３１の内部に、長尺のインナー部材２、１２、２２、３２を配設して二重構造としているため、内装ボード４を留め付ける仕上げ釘５に引抜力が作用した際に、鋼製下地材１、１１、２１、３１の前面部１ａ、１１ａ、２１ａ、３１ａおよびインナー部材２、１２、２２、３２の中間部２ａ、１２ａ、２２ａ、３２ａが引抜力に対して抵抗し、仕上げ釘５が鋼製下地材１、１１、２１、３１および内装ボード４から抜けにくくなる。また、インナー部材２、１２、２２、３２が別部材とされているので、従来から使用されている鋼製下地材１、１１、２１、３１を使用することができ、材料費も少なくて済むため、コストを低く抑えることができる。さらに、鋼製下地材１、１１、２１、３１内にインナー部材２、１２、２２、３２を嵌挿するだけでよいので、施工が容易で工期短縮を図ることができる。
【００３１】
なお、鋼製下地材１、１１、３１の前面部１ａ、１１ａ、３１ａの幅は４０ｍｍと４５ｍｍのみであり、インナー部材２、１２、３２の幅を二種類として製作コストを抑えることができる。
【００３２】
以上、本発明の実施形態について説明したが、本発明は上記の実施形態に限定されるものではなく、その趣旨を逸脱しない範囲で適宜変更可能である。例えば、第一および第四の実施形態では、前面部のみにインナー部材を配設しているが、後面部にもインナー部材を配設してもよい。要は、本発明において所期の機能が得られればよいのである。
【図面の簡単な説明】
【００３３】
【図１】本発明に係る鋼製下地材の補強構造の第一の実施形態を示す断面図である。
【図２】同、分解斜視図である。
【図３】本発明に係る鋼製下地材の補強構造に内装ボードを仕上げ釘で留め付けた状態を示した断面図である。
【図４】本発明に係る鋼製下地材の補強構造の第二の実施形態を示す断面図である。
【図５】同、分解斜視図である。
【図６】インナー支持部材の展開図である。
【図７】本発明に係る鋼製下地材の補強構造の第三の実施形態を示す断面図である。
【図８】本発明に係る鋼製下地材の補強構造の第四の実施形態を示す断面図である。
【図９】鋼板を折り曲げ加工して二重構造とした軽量鉄骨材の断面図である。
【符号の説明】
【００３４】
１、１１、２１、３１  鋼製下地材
１ａ、１１ａ、２１ａ、３１ａ  前面部
１ｂ、１ｄ、１１ｂ、２１ｂ、３１ｂ  側面部
１ｃ、１ｅ、２１ｃ、３１ｃ  折返し部
１ｆ、３１ｆ  後面部
２、１２、２２、３２  インナー部材
２ａ、１２ａ、２２ａ、３２ａ  中間部
２ｂ、１２ｂ、２２ｂ、３２ｂ  側縁部
４  内装ボード
５  仕上げ釘
１３  インナー支持部材
１３ａ  側板部
１３ｂ  連結部
１３ｃ  突出部
１３ｄ  スリット
Ｃ  間隙
【図１】
2007315064.tif 000003
【図２】
2007315064.tif 000004
【図３】
2007315064.tif 000005
【図４】
2007315064.tif 000006
【図５】
2007315064.tif 000007
【図６】
2007315064.tif 000008
【図７】
2007315064.tif 000009
【図８】
2007315064.tif 000010
【図９】
2007315064.tif 000011